(57)【要約】【課題】本発明に係るマルチメディア識別システムはデータキャプチャユニット、データ識別ユニット、及び波形特徴データベースを含むマルチメディア識別システム並びに方法を提供する。【解決手段】データキャプチャユニットは、識別しようとするマルチメディアデータを取り込むもので、データ識別ユニットは音声波形変換ユニット、波形特徴取込みユニット、及び波形特徴比較ユニットを含み、識別しようとするマルチメディアデータを音声波形データに変換し、波形特徴を取り込んで分析、識別比較するものである。そして、マルチメディアデータの音声波形を分析することによって、前記マルチメディアデータを識別すると共に、関連性のあるマルチメディア素材をユーザーに提供して、ユーザーがマルチメディアデータをカスタマイズ編集する。【選択図】図１
2011003193.tif 000002
【特許請求の範囲】
【請求項１】
マルチメディア識別システムであって、
識別しようとするマルチメディアデータを取り込むデータキャプチャユニットと、
前記データキャプチャユニットに電気的に接続するデータ識別ユニットと、
を含み、
前記データ識別ユニットは、
前記マルチメディアデータの音声データを波形データに変換する音声波形変換ユニットと、
前記音声波形変換ユニットに電気的に接続して前記波形データの波形特徴を取り込む波形特徴取込みユニットと、
前記波形特徴比較ユニットに電気的に接続して前記波形特徴と少なくとも１つの既知の波形特徴とを比較する波形特徴比較ユニットと、
前記データ識別ユニットに電気的に接続して少なくとも１つの既知のマルチメディアデータに対応する前記既知の波形特徴を保存する波形特徴データベースと、
を含むことを特徴とするマルチメディア識別システム。
【請求項２】
前記波形特徴は前記波形データの少なくとも１つのピーク値の位置を含み、
前記波形特徴比較ユニットは、前記波形特徴を表わすデータと前記既知の波形特徴を表わすデータとの間のハミング距離を計算することで、前記波形特徴と前記既知の波形特徴とを比較することを特徴とする請求項１に記載のマルチメディア識別システム。
【請求項３】
前記データ識別ユニットは前記波形特徴比較ユニットの比較結果に基づいて、前記マルチメディアデータが、比較結果の類似度が最高の前記既知の波形特徴に対応される前記既知のマルチメディアデータと同様であると判断することを特徴とする請求項１に記載のマルチメディア識別システム。
【請求項４】
マルチメディア識別方法であって、
マルチメディアデータの音声データを波形データに変換する方法と、
前記波形データの波形特徴を取り込む方法と、
前記波形特徴と少なくとも１つの既知のマルチメディアデータに対応される少なくとも１つの既知の波形特徴とを比較する方法と、
前記比較結果に基づいて、前記マルチメディアデータの識別をする方法と
を含むことを特徴とするマルチメディア識別方法。
【請求項５】
前記波形特徴は前記波形データの少なくとも１つのピーク値の位置を含むことを特徴とする請求項４に記載のマルチメディア識別方法。
【請求項６】
前記波形特徴とこれら前記既知の波形特徴とを比較するとは、前記波形特徴を表わすデータと前記既知の波形特徴を表わすデータとの間のハミング距離を演算することであることを特徴とする請求項４に記載のマルチメディア識別方法。
【請求項７】
前記比較結果に基づいて前記マルチメディアデータの識別をするとは、前記マルチメディアデータが、比較結果の類似度が最高の前記既知の波形特徴に対応される前記既知のマルチメディアデータと同様であると判断することであることを特徴とする請求項４に記載のマルチメディア識別方法。
【請求項８】
識別済の前記マルチメディアデータに基づき、前記マルチメディアデータに関連する、フィルム、画像、字幕及び標題のうちの１つ又はそれらの組み合わせを含む少なくとも１つのマルチメディア素材を読み取るステップと、
ユーザーがユーザーのファイル方式変換、標題編集、字幕編集、バックグラウンド編集及び音声編集のうちの１つ又はそれらの組み合わせを受信することを含む前記マルチメディアデータについての編集を受信するステップと、
をさらに含むことを特徴とする請求項４に記載のマルチメディア識別方法。
【請求項９】
ユーザーが編集した後の前記マルチメディアデータがユーザー指定の電子装置に伝送されるステップをさらに含むことを特徴とする請求項８に記載のマルチメディア識別方法。
【発明の詳細な説明】
【技術分野】
【０００１】
本発明は識別システム及び方法に関し、より詳しくはマルチメディアデータの識別システム及び方法に関する。
【背景技術】
【０００２】
デジタル映像や音声のマルチメディア技術が盛んに発展している昨今、情報シェアリングや娯楽分野を問わず、マルチメディアデータの殆どが情報シェアリングや娯楽用として応用されている。しかし、歌や音楽のビデオといった一般の映像や音声のマルチメディアデータは、通常、レコード会社が製作会社に使用許諾を与え、歌、字幕、フィルム、画像を音楽ビデオに加工していることから、その内容はカスタマイズし難く、様々なクラインアントの多種多様なニーズを満たすことができない。
【０００３】
音楽ビデオのような従来のマルチメディアデータが放映するフィルム内容や画像内容、字幕、音声等のデータは全て既定のものであり、ユーザーがそのニーズに応じてデータ内容を改変するには、自分で必要な画像、フィルム、字幕を検索してソフトで自ら編集して組み合わせ、ニーズに適ったマルチメディアデータを生み出さねばならず、明らかに面倒である。
【０００４】
従って、従来技術には確実に改善の余地がある。
【発明の概要】
【発明が解決しようとする課題】
【０００５】
これに鑑みて、本発明が解決しようとする技術的課題は、自ら開発したマルチメディアデータ識別のメカニズムに合わせて、音楽ビデオやクラシック、流行歌等のような各種音楽ファイルといったマルチメディアデータに対応するマルチメディア素材を自動的に検索して提供し、例えば画像、フィルム、歌の字幕等をユーザーが引続き編集し、ユーザーがそのニーズに応じてマルチメディアデータをカスタマイズ編集することができると共に、ニーズに応じて前記マルチメディアデータを応用することができることにある。
【課題を解決するための手段】
【０００６】
上記の目的を達するために、本発明の方案に基づいて、データキャプチャユニット、データ識別ユニット、及び波形特徴データベースを含むマルチメディア識別システムを提供する。データキャプチャユニットは、音楽歌曲や音楽ビデオ等のような識別しようとするマルチメディアデータを取り込むためのもので、データキャプチャユニットに電気的に接続するデータ識別ユニットは音声波形変換ユニット、波形特徴取込みユニット、波形特徴比較ユニットを含み、識別しようとするマルチメディアデータを音声波形データに変換し、波形特徴（波形の特徴）を取り込み、分析し、識別して比較する。また、波形特徴データベースはデータ識別ユニットに電気的に接続して、少なくとも１つの既知のマルチメディアデータに対応する少なくとも１つの既知の波形特徴を保存する。
【０００７】
本発明によれば、マルチメディアデータの音声データを波形データに変換する方法と、前記波形データの波形特徴を取り込む方法と、前記波形特徴と少なくとも１つの既知のマルチメディアデータに対応される少なくとも１つの既知の波形特徴とを比較する方法と、前記比較結果に基づいて、前記マルチメディアデータの識別をする方法とを含むことを特徴とするマルチメディア識別方法が提供される。
【発明の効果】
【０００８】
本発明によれば、マルチメディアデータの音声波形特徴を取り込むことによって、前記マルチメディアデータを識別すると共に、前記マルチメディアデータと関連する画像、フィルム、歌の字幕等のマルチメディア素材を自動検索して、ユーザーに伝送してユーザーがそれを編集し、そのニーズに応じてマルチメディアデータをカスタマイズ編集することができ、その上、ニーズに応じて前記マルチメディアデータを応用することができる。
【図面の簡単な説明】
【０００９】
【図１】マルチメディア識別システムの実施形態のブロック図である。
【図２】マルチメディア識別方法の実施形態のフローチャートである。
【図３】マルチメディアカスタマイズシステムの実施形態のブロック図である。
【図４】マルチメディアカスタマイズシステムの別の実施形態のブロック図である。
【図５】マルチメディアカスタマイズシステムの別の実施形態のブロック図である。
【図６】マルチメディアカスタマイズ方法の実施形態のフローチャートである。
【図７】マルチメディアカスタマイズ方法の別の実施形態のフローチャートである。
【発明を実施するための形態】
【００１０】
以下、本発明を実施するための形態について、詳細に説明する。なお、本発明は、以下に説明する実施形態に限定されるものではない。マルチメディアデータの音声波形特徴を分析比較することによって前記マルチメディアデータを識別すると共に、前記マルチメディアデータと関連するマルチメディア素材を検索し、ユーザーに提供してユーザーがそれを編集し、前記マルチメディアデータをカスタマイズ編集することができ、しかも前記マルチメディアデータをさらに応用することができる。
【００１１】
図１は、データキャプチャユニット１１、データ識別ユニット１３、及び波形特徴データベース１５を含むマルチメディア識別システム１０の実施形態のブロック図である。データキャプチャユニット１１は、識別しようとするマルチメディアデータを取り込むためのもので、例えばユーザーがマルチメディアプレーヤでマルチメディアデータ（例：流行歌の音楽フィルム）を放映する場合、データキャプチャユニット１１は前記マルチメディアデータを取り込んで、識別しようとするマルチメディアデータとして、データ識別ユニット１３に伝送してデータ識別ユニット１３が後続の識別作業をする。
【００１２】
データ識別ユニット１３はデータキャプチャユニット１１に電気的に接続されて、受信したマルチメディアデータの音声波形を分析比較することによって、前記マルチメディアデータを識別し、データ識別ユニット１３に含まれる音声波形変換ユニット１３１はマルチメディアデータの音声データを波形データに変換する（例えば、元がＭＰ３方式の音声データをＷＡＶ方式の波形データに変換する）と共に、波形特徴取込みユニット１３３に伝送する。波形特徴取込みユニット１３３は、受信した波形データの波形特徴を取り込むためのもので、例えば音声波形のピーク値の波形データ中の位置等を波形特徴として取り込むと共に、前記マルチメディアデータの波形特徴を波形特徴比較ユニット１３５に伝送する。
【００１３】
波形特徴比較ユニット１３５は、波形特徴取込みユニット１３３から伝送された前記波形特徴を受信すると、波形特徴データベース１５から少なくとも１つの既知のマルチメディアデータに対応する少なくとも１つの既知の波形特徴１５１を読み取ると共に、前記既知の波形特徴１５１のそれぞれと前記波形特徴との類似度の比較を行って最も類似するものを判断すると、前記マルチメディアデータを識別することができる。類似度の比較方法は、既知の波形特徴１５１と識別しようとする波形特徴との間のハミング距離(Ｈａｍｍｉｎｇ  ｄｉｓｔａｎｃｅ)を演算して、識別しようとする波形特徴とのハミング距離が最小の既知の波形特徴１５１を探し出すことであり、それに対応する既知のマルチメディアデータが即ち識別した結果である。
【００１４】
ハミング距離とは、２つの等しい長さの文字列に対応する位置にある異なった文字の個数であることから、ハミング距離が０であれば、２つの等しい長さの文字列が全く同じであることを表しているが、ハミング距離が２であれば、２つの等しい長さの文字列のうち、２つの対応する位置にある文字が異なることを表しており、これによって類推する。このため、ハミング距離が小さいほど、２つの等しい長さの文字列は類似することを表している。
【００１５】
図２はマルチメディア識別方法の実施形態のフローチャートである。図１と併せて説明すると、そのステップは、音声波形変換ユニット１３１がマルチメディアデータ（例えば、流行歌の音楽ビデオ等には固定の音声データのマルチメディアデータがある）の音声データを波形データに変換する（Ｓ２０１）と共に、波形データを波形特徴取込みユニット１３３に伝送する。続いて、波形特徴取込みユニット１３３は波形のピーク値の位置等のような波形データの波形特徴を取り込む（Ｓ２０３）と共に、波形特徴を波形特徴比較ユニット１３５に伝送する。
【００１６】
続いて、波形特徴比較ユニット１３５は波形特徴データベース１５から少なくとも１つの既知のマルチメディアデータに対応する少なくとも１つの既知の波形特徴１５１を読み取ると共に、前記既知の波形特徴１５１を１つずつ前記波形特徴と比較する（Ｓ２０５）。比較方法は、前記波形特徴と各既知の波形特徴１５１との間のハミング距離等の演算でよい。最後に、前記マルチメディアデータが、前記波形特徴とのハミング距離が最小の既知の波形特徴１５１と対応する既知のマルチメディアデータと同様であると判断するように、データ識別ユニット１３は、波形特徴比較ユニット１３５の比較結果に基づいて前記マルチメディアデータを識別する（Ｓ２０７）。
【００１７】
例を挙げると、マルチメディア識別システム１０が受信して識別しようとするマルチメディアデータが、歌手の伍百の流行歌「君は僕の花」の音楽ビデオである場合、その識別方法はまず音声波形変換ユニット１３１で前記歌曲のイントロ部の一定の長さ（例：３０秒）の音声データをＷＡＶファイル（波形データ）に変換して、波形特徴を取り込む準備をする。
【００１８】
続いて、波形特徴取込みユニット１３３によって、前記ＷＡＶファイルの波形特徴を取り込み、例えば、前記波形データを４つのブロックに区割りし、各ブロックの波形の最大値の位置を記録すると共に、デジタル順序に変換して比較する。さらに波形特徴比較ユニット１３５で鑑定した音声波形特徴を持ったデジタル順序を、波形特徴データベース１５の中で既にファイリングした各既知のマルチメディアファイルの既知の波形特徴１５１のデジタル順序とハミング演算してその間のハミング距離を算出する。
【００１９】
識別しようとする波形特徴と各既知の波形特徴１５１とのハミング距離を算出すると、マルチメディア識別システム１０は、前記識別しようとする波形特徴と、波形特徴データベース１５内にファイリングした音楽歌曲「君は僕の花」の既知の波形特徴１５１とが最も類似していることを識別することから、「君は僕の花」を識別結果として出力して、音楽ビデオの識別を完成させる。
【００２０】
図３はサーバ２０とクライアント側装置３０を含むマルチメディアカスタマイズシステムの実施形態のブロック図である。サーバ２０はデータ識別ユニット１３、波形特徴データベース１５、素材データベース３１を含む。クライアント側装置３０は携帯電話、コンピュータ、ＰＤＡ等でよく、データキャプチャユニット１１、データ編集処理ユニット３３、データ編集インターフェイス３５を含む。
【００２１】
データキャプチャユニット１１は各種音楽歌曲やその音楽ビデオ等のようなマルチメディアデータを取り込むためのもので、マルチメディアプレーヤに嵌め込むことができ、ユーザーがマルチメディアプレーヤでマルチメディアデータを放映すると、それをデータ識別ユニット１３に伝送してマルチメディアデータを分析し、比較し、識別する。波形特徴データベース１５には少なくとも１つの既知の波形特徴１５１が保存されており、データ識別ユニット１３に読み取らせて比較させる。素材データベース３１には画像、フィルム、字幕、標題等のような各種マルチメディア素材３１１が保存されており、データ識別ユニット１３が伝送した識別結果を素材データベース３１が受信すると、識別結果に基づいて識別済みのマルチメディアデータと関連するマルチメディア素材３１１がデータ編集処理ユニット３３に伝送され、ユーザーは前記マルチメディア素材３１１でマルチメディアデータを編集することができる。
【００２２】
ユーザーはデータ編集インターフェイス３５によって編集信号をデータ編集処理ユニット３３に伝送して、前記マルチメディアデータを編集することができる。例えば、前記マルチメディアデータは歌曲の音楽ビデオであり、ユーザーは音楽ビデオ画面に「誕生日おめでとう」などの文字を書き加えることができる共に、バックグランドの図案を自分が撮影した写真やフィルムに変更することもでき、また歌曲の音声周波数を調整したり、人の音声を除去したりすること等もできる。
【００２３】
続いて、図４はマルチメディアカスタマイズシステムの別の実施形態のブロック図である。図３と異なる箇所は図４のデータ編集処理ユニット３３はサーバ２０にあって、クライアント側装置３０の処理負荷を軽減し、ユーザーはデータ編集インターフェイス３５によってマルチメディアデータを編集するが、実際の処理はサーバ２０を介して行われる。
【００２４】
データ識別ユニット１３が行うマルチメディアデータの分析識別、及びデータ編集処理ユニット３３が行うマルチメディアデータの編集処理のように、サーバ２０が実行する演算処理はクラウドコンピューティング（ｃｌｏｕｄ  ｃｏｍｐｕｔｉｎｇ）技術を利用して処理速度を加速することができる。
【００２５】
クラウドコンピューティングは分散式演算技術の一種で、その最も基本となる概念は、膨大な処理プログラムを自動的に無数の小さなサブプログラムに分解して、複数の処理ユニットを介して個別処理を行い、完成後に必要な演算結果に集約するもので、こうすることで実行速度が加速される。
【００２６】
また、図５はサーバ２０、クライアント側装置３０、電子装置４０を含むマルチメディアカスタマイズシステムの別の実施形態のブロック図である。サーバ２０は波形特徴データベース１５、データ識別ユニット１３、素材データベース３１、データ編集処理ユニット３３、通信ユニット５１を含み、クライアント側装置３０はデータキャプチャユニット１１とデータ編集インターフェイス３５を含む。
【００２７】
クライアント側装置３０のデータキャプチャユニット１１とデータ編集インターフェイス３５はマルチメディアプレーヤ内のソフトに統合することができ、ユーザーが前記マルチメディアプレーヤで流行歌や音楽ビデオなどのマルチメディアデータを放映すると、データキャプチャユニット１１は前記マルチメディアデータを分析するためにサーバ２０のデータ識別ユニット１３に伝送する。データ識別ユニット１３は音声波形変換ユニット１３１、波形特徴取込みユニット１３３、波形特徴比較ユニット１３５を含む。サーバ２０の識別が完了すると、前記識別済みのマルチメディアデータと関連のあるマルチメディア素材３１１を素材データベース３１から読み取ってクライアント側装置３０に伝送する。この際、ユーザーは素材購入オプション３５１によって前記マルチメディア素材３１１の購入確認を行ってデータ編集をする。
【００２８】
データ編集インターフェイス３５によって、ユーザーはマルチメディアデータの編集操作をすることができると共に、編集信号をサーバ２０のデータ編集処理ユニット３３に伝送して処理をすることができる。データ編集処理ユニット３３はファイル方式変換ユニット３３１、字幕編集ユニット３３３、バックグランド編集ユニット３３５、音声編集ユニット３３７を含み、ユーザーのニーズに応じてマルチメディアデータの編集処理をするものである。
【００２９】
サーバ２０はまた通信ユニット５１を含み、ユーザーがマルチメディアデータの編集が完了すると、データ編集インターフェイス３５のファイル伝送オプション３５３によって前記マルチメディアデータを通信ユニット５１から携帯電話４１、ノートパソコン４３、ＰＤＡ４５、卓上型パソコン４７等のような電子装置４０に伝送するよう選択することができる。
【００３０】
例を挙げると、ユーザーがある友人の誕生日を祝おうとして、「ハッピーバースデートゥーユー」の歌の音楽ビデオを放映すると、データキャプチャユニット１１が前記音楽ビデオを取り込んでサーバ２０に伝送してサーバ２０が識別をし、サーバ２０の識別が完了すると、前記音楽ビデオに関連があるマルチメディア素材３１１（例：ケーキの画像）をユーザーに伝送し、ユーザーはそれらのマルチメディア素材３１１の購入を決定して、マルチメディア素材３１１で音楽ビデオの編集（例えば、バックの画像をケーキ画像に変更したり、ある人の誕生日を祝う文字を付加したりする）をすることができる。編集が終了すると、ユーザーはさらに通信ユニット５１によって前記編集後の音楽ビデオを前記友人の携帯電話４１に伝送し、受信した前記友人が観賞したり、保存することできる。
【００３１】
図６は上記のマルチメディア識別方法を応用したマルチメディアカスタマイズ方法の実施形態のフローチャートである。図５と併せて説明すると、以下のステップである。音声波形変換ユニット１３１がマルチメディアデータ（各種音楽歌曲等のように固定の音声データを有するマルチメディアデータ）の音声データを波形データ（例えば、元がＭＰ３方式の音声データをＷＡＶ方式の波形データに変換する）に変換する（Ｓ６０１）と共に、波形データを波形特徴取込みユニット１３３に伝送する。続いて、波形特徴取込みユニット１３３は波形データ中の波形のピーク値となる位置を波形データの波形特徴として取り込む（Ｓ６０３）と共に、波形特徴を波形特徴比較ユニット１３５に伝送する。
【００３２】
波形特徴比較ユニット１３５は、受信した波形特徴と少なくとも１つの既知のマルチメディアデータに対応する少なくとも１つの既知の波形特徴１５１とを比較する（Ｓ６０５）。比較方法は前記波形特徴と既知の波形特徴１５１との間のハミング距離等の演算であり、データ識別ユニット１３が波形特徴比較ユニット１３５の比較結果に基づいて前記マルチメディアデータを識別する（Ｓ６０７）。
【００３３】
続いて、識別済みの前記マルチメディアデータに基づき、サーバ２０が素材データベースの中からマルチメディアデータと関連のある少なくとも１つのマルチメディア素材３１１を読み取り（Ｓ６０９）、最後に、サーバ２０がデータ編集インターフェイス３５を介してユーザーによる字幕や標題の変更、画像差替え、音声キーの周波数調整、人の声の除去等のような前記マルチメディアデータの編集を受信する（Ｓ６１１）。
【００３４】
図７は上記のマルチメディア識別方法を応用したマルチメディアカスタマイズ方法の別の実施形態のフローチャートである。同様に、図５と併せて説明すると、以下のステップである。音声波形変換ユニット１３１がマルチメディアデータ（例：各種音楽歌曲や音楽ビデオ）の音声データを波形データに変換する（Ｓ７０１）と共に、波形データを波形特徴取込みユニット１３３に伝送する。続いて、波形特徴取込みユニット１３３が波形データの波形特徴を取り込む（Ｓ７０３）と共に、波形特徴を波形特徴比較ユニット１３５に伝送する。波形特徴比較ユニット１３５は、受信した波形特徴と少なくとも１つの既知のマルチメディアデータに対応する少なくとも１つの既知の波形特徴１５１とを比較する（Ｓ７０５）。そして、データ識別ユニット１３は波形特徴比較ユニット１３５の比較結果に基づいて前記マルチメディアデータを識別することができる（Ｓ７０７）。
【００３５】
続いて、識別済みの前記マルチメディアデータに基づき、サーバ２０が素材データベースの中からマルチメディアデータと関連のある少なくとも１つのマルチメディア素材３１１を読み取り（Ｓ７０９）、素材購入オプション３５１を提供して、ユーザーに選択させる（Ｓ７１１）。ユーザーがマルチメディア素材３１１を購入するか否かを判断し（Ｓ７１３）、「イエス」であれば、ユーザーによる字幕変更、画像差替え、音声周波数の調整等といったマルチメディアの編集を受信する（Ｓ７１５）。最後に、マルチメディアデータ編集が完成すると、さらに前記マルチメディアデータをユーザーが指定する電子装置４０に伝送する（Ｓ７１７）。
【００３６】
図７と図６の相違は、ユーザーが前記マルチメディア素材３１１を購入するか否かを選択するメカニズムを増やしたことであり、ユーザーが購入希望すれば、前記マルチメディア素材３１１をユーザーの編集用に提供する。このほか、マルチメディアデータ編集が完成すると、ユーザーは通信ユニット５１を介してマルチメディアデータを指定する電子装置４０に伝送するという選択が可能なメカニズムをさらに増やしている。
【００３７】
以上述べたことをまとめると、本発明はマルチメディアデータの音声波形特徴を取り込んで前記マルチメディアデータを識別すると共に、前記マルチメディアデータと関連のある画像、フィルム、歌の字幕等のマルチメディア素材を自動検索して、ユーザーの編集処理に提供して、ユーザーがそのニーズに応じてマルチメディアデータをカスタマイズ編集することができると共に、さらにニーズに応じて前記マルチメディアデータを応用することができる。
【００３８】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３９】
１０    マルチメディア識別システム
２０    サーバ
３０    クライアント側装置
４０    電子装置
１１    データキャプチャユニット
１３    データ識別ユニット
１３１  音声波形変換ユニット
１３３  波形特徴取込みユニット
１３５  波形特徴比較ユニット
１５    波形特徴データベース
１５１  既知の波形特徴
３１    素材データベース
３１１  マルチメディア素材
３３    データ編集処理ユニット
３３１  ファイル方式変換ユニット
３３３  字幕編集ユニット
３３５  バックグランド編集ユニット
３３７  音声編集ユニット
３５    データ編集インターフェイス
３５１  素材購入オプション
３５３  ファイル伝送オプション
４１    携帯電話
４３    ノートパソコン
４５    ＰＤＡ
４７    卓上型パソコン
５１    通信ユニット
Ｓ２０１〜Ｓ２０７  フローチャートによるステップの説明
Ｓ６０１〜Ｓ６１１  フローチャートによるステップの説明
Ｓ７０１〜Ｓ７１７  フローチャートによるステップの説明
【図１】
2011003193.tif 000003
【図２】
2011003193.tif 000004
【図３】
2011003193.tif 000005
【図４】
2011003193.tif 000006
【図５】
2011003193.tif 000007
【図６】
2011003193.tif 000008
【図７】
2011003193.tif 000009